【手続補正書】
【提出日】平成17年4月20日(2005.4.20)
【手続補正１】
【補正対象書類名】明細書
【補正対象項目名】特許請求の範囲
【補正方法】変更
【補正の内容】
【特許請求の範囲】
【請求項１】
ローカル発振手段からの発振信号に基づく高周波数帯域の搬送波信号変調して送信する際に、ローカル発振手段からの信号の漏れを防ぐ高周波数帯域ローカルリークのキャンセル回路であって、
ローカル発振手段から発生される搬送波信号を変調して、高周波送信信号を生成する変調手段と、
高周波送信信号に含まれる搬送波信号に対して、逆位相となる成分の搬送波信号を出力する移相手段と、
変調手段で生成される高周波送信信号、および移相手段から出力される逆位相となる成分の搬送波信号を合成し、高周波送信信号中に含まれる搬送波信号の成分を減衰させて出力する出力手段とを含むことを特徴とする高周波数帯域ローカルリークのキャンセル回路。
【請求項２】
ローカル発振手段からの発振信号に基づく高周波数帯域の搬送波信号変調して送信する際に、ローカル発振手段からの信号の漏れを防ぐ高周波数帯域ローカルリークのキャンセル回路であって、
ローカル発振手段は、搬送波信号の周波数に対して、予め定める整数分の１の周波数の原搬送波信号を発生し、
ローカル発振手段から発生される原搬送波信号を、該整数倍に逓倍して、搬送波信号を出力する第１逓倍手段と、
第１逓倍手段から出力される搬送波信号を変調して、該搬送波信号のレベルを低減して高周波送信信号を生成する変調手段と、
ローカル発振手段から発生される原搬送波信号の位相をシフトさせる移相手段と、
移相手段で位相がシフトされた原搬送波信号を、該整数倍に逓倍して、変調手段で変調された高周波送信信号に含まれる搬送波信号に対して、逆位相となる成分の搬送波信号を出力する第２逓倍手段と、
変調手段で生成される高周波送信信号、および第２逓倍手段から出力される逆位相となる成分の搬送波信号を合成し、高周波送信信号中に含まれる搬送波信号の成分を減衰させて出力する出力手段とを含むことを特徴とする高周波数帯域ローカルリークのキャンセル回路。
【請求項３】
前記出力手段は、
前記搬送波信号の合成後の高周波送信信号のレベルを検出するレベル検出器と、
レベル検出器によって検出される高周波送信信号のレベルを、搬送波信号を含まない高周波送信信号の出力レベルとして予め設定される基準レベルと比較する比較器とを含み、
前記移相手段は、比較器による比較結果に応答し、レベル検出器による高周波送信号の検出レベルが基準レベルを超えないように、前記原搬送波信号に対する位相のシフト量を調整することを特徴とする請求項１または２記載の高周波数帯域ローカルリークのキャンセル回路。
【請求項４】
前記出力手段は、
前記搬送波信号の合成後の高周波送信信号のレベルを検出するレベル検出器と、
レベル検出器によって検出される高周波送信信号のレベルを、搬送波信号を含まない高周波送信信号の出力レベルとして予め設定される基準レベルと比較する比較器とを含み、
前記移相手段と出力手段との間に、比較器による比較結果に応答し、レベル検出器による高周波送信号の検出レベルが基準レベルを超えないように、出力手段で合成する前記逆位相となる成分の搬送波信号のレベルを調整するレベル調整器を含むことを特徴とする請求項１または２記載の高周波数帯域ローカルリークのキャンセル回路。
【請求項５】
前記出力手段は、
前記搬送波信号の合成後の高周波送信信号のレベルを検出するレベル検出器と、
レベル検出器によって検出される高周波送信信号のレベルを、搬送波信号を含まない高周波送信信号の出力レベルとして予め設定される基準レベルと比較する比較器とを含み、
前記移相手段は、比較器による比較結果に応答し、レベル検出器による高周波送信号の検出レベルが基準レベルを超えないように、前記原搬送波信号に対する位相のシフト量を調整し、
該移相手段と出力手段との間に、比較器による比較結果に応答し、レベル検出器による高周波送信号の検出レベルが基準レベルを超えないように、出力手段で合成する前記逆位相となる成分の搬送波信号のレベルを調整するレベル調整器を含むことを特徴とする請求項１または２記載の高周波数帯域ローカルリークのキャンセル回路。
【請求項６】
請求項１〜５のいずれかに記載の高周波数帯域ローカルリークのキャンセル回路を使用したレーダ装置。
【請求項７】
請求項１〜５のいずれかに記載の高周波数帯域ローカルリークのキャンセル回路を使用したデジタル無線通信装置。
【手続補正２】
【補正対象書類名】明細書
【補正対象項目名】００１０
【補正方法】変更
【補正の内容】
【００１０】
【課題を解決するための手段】
本発明は、ローカル発振手段からの発振信号に基づく高周波数帯域の搬送波信号変調して送信する際に、ローカル発振手段からの信号の漏れを防ぐ高周波数帯域ローカルリークのキャンセル回路であって、
ローカル発振手段から発生される搬送波信号を変調して、高周波送信信号を生成する変調手段と、
高周波送信信号に含まれる搬送波信号に対して、逆位相となる成分の搬送波信号を出力する移相手段と、
変調手段で生成される高周波送信信号、および移相手段から出力される逆位相となる成分の搬送波信号を合成し、高周波送信信号中に含まれる搬送波信号の成分を減衰させて出力する出力手段とを含むことを特徴とする高周波数帯域ローカルリークのキャンセル回路である。
本発明に従えば、高周波数帯域ローカルリークのキャンセル回路は、ローカル発振手段からの発振信号に基づく高周波数帯域の搬送波信号変調して送信する際に、ローカル発振手段からの信号の漏れを防ぐために、変調手段と、移相手段と、出力手段とを含む。変調手段は、ローカル発振手段から発生される搬送波信号を変調して、高周波送信信号を生成するけれども、搬送波信号の漏れによるローカルリークは避けられない。移相手段は、変調手段で変調された高周波送信信号に含まれる搬送波信号に対して、逆位相となる成分の搬送波信号を出力する。出力手段は、変調手段で生成される高周波送信信号、および移相手段から出力される逆位相となる成分の搬送波信号を合成し、高周波送信信号中に含まれる搬送波信号の成分を減衰させて出力するので、ローカルリークが低減された高周波送信信号を出力することができる。
本発明は、ローカル発振手段からの発振信号に基づく高周波数帯域の搬送波信号変調して送信する際に、ローカル発振手段からの信号の漏れを防ぐ高周波数帯域ローカルリークのキャンセル回路であって、
ローカル発振手段は、搬送波信号の周波数に対して、予め定める整数分の１の周波数の原搬送波信号を発生し、
ローカル発振手段から発生される原搬送波信号を、該整数倍に逓倍して、搬送波信号を出力する第１逓倍手段と、
第１逓倍手段から出力される搬送波信号を変調して、該搬送波信号のレベルを低減して高周波送信信号を生成する変調手段と、
ローカル発振手段から発生される原搬送波信号の位相をシフトさせる移相手段と、
移相手段で位相がシフトされた原搬送波信号を、該整数倍に逓倍して、変調手段で変調された高周波送信信号に含まれる搬送波信号に対して、逆位相となる成分の搬送波信号を出力する第２逓倍手段と、
変調手段で生成される高周波送信信号、および第２逓倍手段から出力される逆位相となる成分の搬送波信号を合成し、高周波送信信号中に含まれる搬送波信号の成分を減衰させて出力する出力手段とを含むことを特徴とする高周波数帯域ローカルリークのキャンセル回路である。
【手続補正３】
【補正対象書類名】明細書
【補正対象項目名】００３６
【補正方法】変更
【補正の内容】
【００３６】
【発明の効果】
以上のように本発明によれば、高周波送信信号に含まれる搬送波信号に対して逆位相となる成分の搬送波信号を合成するので、ローカルリークを低減することができる。
さらに本発明によれば、ローカル発振手段は、搬送波信号の周波数に対して、予め定める整数分の１の周波数の原搬送波信号を発生するので、帯域阻止フィルタなどを使用して、原搬送波信号とともにその近傍を除去することがでる。移相手段では、搬送波信号の第２逓倍手段による逓倍前の原搬送波信号に対して位相シフトを行うので、搬送波信号に比較して低い周波数で位相をシフトさせればよく、容易に大きなシフト量で位相をシフトさせることができる。また、第１逓倍手段および第２逓倍手段を用いて、逓倍後の搬送波信号を扱う変調手段や出力手段と、逓倍前の搬送波信号を扱う部分とのアイソレーションを確保することができ、高周波の漏れや、反射による戻り量を低減することができる。